【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
膨張可能なステントを腔内に送出するための装置であって、
近位端及び遠位端を有する第１の細長い管状部材と、
前記近位端において前記第１の管状部材の少なくとも部分の上に周方向に配置され、かつ、半径方向に拡張可能なステントの部分に解放可能に係合するための少なくとも１つの突出部を有するバンドと、
前記第１の管状部材及び前記バンドの上に摺動可能に配置された第２の細長い管状部材と、
を備えることを特徴とする装置。
【請求項２】
前記少なくとも１つの突出部は、低プロファイルの丸みを帯びた形状の突出部であることを特徴とする請求項１に記載の装置。
【請求項３】
前記バンドは２つの対向する突出部を有することを特徴とする請求項１に記載の装置。
【請求項４】
前記２つの突出部は、互いから約１８０°で周方向に配置されることを特徴とする請求項３に記載の装置。
【請求項５】
前記バンドは金属を含むことを特徴とする請求項１に記載の装置。
【請求項６】
前記金属はステンレス鋼であることを特徴とする請求項５に記載の装置。
【請求項７】
前記第１の部材はポリマー材料を含むことを特徴とする請求項１に記載の装置。
【請求項８】
前記ポリマー材料は、ポリエチレン、ポリプロピレン、ポリ塩化ビニル、ポリテトラフルオロエチレン、フッ化エチレンプロピレンコポリマー、ポリ酢酸ビニル、ポリスチレン、ポリ（エチレンテレフタレート）、ポリエチレンナフタレート、ポリブチレンナフタレート、ポリトリメチレンナフタレート及びトリメチレンジオルナフタレートなどのナフタレンジカルボン酸誘導体、ポリウレタン、ポリウレア、シリコーンゴム、ポリアミド、ポリカーボネート、ポリアルデヒド、天然ゴム、ポリエステルコポリマー、スチレン・ブタジエンコポリマー、ポリエーテル、完全又は部分的ハロゲン化ポリエーテル、ポリアミド／ポリエーテルポリエステル、並びにそれらのコポリマー及び組み合わせからなる群から選択されることを特徴とする、請求項７に記載の装置。
【請求項９】
前記第１の管状部材は、前記チューブを補強するための金属ストランドをさらに含むことを特徴とする請求項７に記載の装置。
【請求項１０】
前記第２の管状部材はポリマー材料を含むことを特徴とする請求項１に記載の装置。
【請求項１１】
前記ポリマー材料は、ポリエチレン、ポリプロピレン、ポリ塩化ビニル、ポリテトラフルオロエチレン、フッ化エチレンプロピレンコポリマー、ポリ酢酸ビニル、ポリスチレン、ポリ（エチレンテレフタレート）、ポリエチレンナフタレート、ポリブチレンナフタレート、ポリトリメチレンナフタレート及びトリメチレンジオルナフタレートなどのナフタレンジカルボン酸誘導体、ポリウレタン、ポリウレア、シリコーンゴム、ポリアミド、ポリカーボネート、ポリアルデヒド、天然ゴム、ポリエステルコポリマー、スチレン・ブタジエンコポリマー、ポリエーテル、完全又は部分的ハロゲン化ポリエーテル、ポリアミド／ポリエーテルポリエステル、並びにそれらのコポリマー及び組み合わせからなる群から選択されることを特徴とする、請求項１０に記載の装置。
【請求項１２】
前記第１の管状部材は、前記チューブを補強するための金属ストランドをさらに含むことを特徴とする請求項１０に記載の装置。
【請求項１３】
前記バンドは、前記第１の管状部材の前記部分を実質的に周方向に取り囲むことを特徴とする請求項１に記載の装置。
【請求項１４】
前記バンドは、前記第１の管状部材の前記部分を部分的に周方向に取り囲むことを特徴とする請求項１に記載の装置。
【請求項１５】
前記少なくとも１つの突出部は、前記バンドから半径方向外方に延びることを特徴とする請求項１に記載の装置。
【請求項１６】
前記少なくとも１つの突出部は、前記バンドから長手方向外方に延びることを特徴とする請求項１に記載の装置。
【請求項１７】
前記装置はカテーテルであることを特徴とする請求項１に記載の装置。
【請求項１８】
前記カテーテルは高速交換型カテーテルであることを特徴とする請求項１７に記載の装置。
【請求項１９】
前記高速交換型カテーテルは、
前記第１の管状部材及び前記第２の管状部材を含むカテーテル・シャフトを備え、該第１の管状部材は、該第１の管状部材の前記近位端の遠位方向に配置された近位方向のガイドワイヤ開口部から、該第１の管状部材の前記遠位端に配置された遠位方向のガイドワイヤ開口部まで延びるガイドワイヤ内腔を有し、かつ、前記カテーテル・シャフトの実質的に全長を延び、該第２の管状部材は、該第２の管状部材の前記近位端の遠位方向の該第２の管状部材内に配置されたガイドワイヤ開口部を有し、かつ、該カテーテル・シャフトの実質的に全長を延び、該第２の管状部材の前記ガイドワイヤ開口部は、該第１の管状部材の前記近位方向のガイドワイヤ開口部内に延びるガイドワイヤ・ランプを有することを特徴とする、請求項１８に記載の装置。
【請求項２０】
半径方向に膨張可能なステントをさらに備えることを特徴とする請求項１に記載の装置。
【請求項２１】
前記ステントは、対向する非外傷性の開放端を有する編組ステントであることを特徴とする請求項２０に記載の装置。
【請求項２２】
半径方向に膨張可能なステントを腔内に送出するための送出システムであって、
近位端及び遠位端を有する半径方向膨張可能なステントと、
近位端及び遠位端を有する第１の細長い管状部材と、
前記近位端において前記第１の管状部材の少なくとも部分の上に周方向に配置され、かつ、前記ステントの前記近位端の部分に解放可能に係合するための少なくとも１つの突出部を有するバンドと、
前記第１の管状部材、前記バンド及び前記ステントの上に摺動可能に配置された第２の細長い管状部材と、
を含むカテーテルと、
を備えることを特徴とする送出システム。
【請求項２３】
前記少なくとも１つの突出部は、低プロファイルの丸みを帯びた形状の突出部であることを特徴とする請求項２２に記載のシステム。
【請求項２４】
前記バンドは対向する２つの突出部を有することを特徴とする請求項２２に記載のシステム。
【請求項２５】
前記２つの突出部は、互いから約１８０°で周方向に配置されることを特徴とする請求項２４に記載のシステム。
【請求項２６】
前記バンドは金属を含むことを特徴とする請求項２２に記載のシステム。
【請求項２７】
前記金属はステンレス鋼であることを特徴とする請求項２６に記載のシステム。
【請求項２８】
前記第１の管状部材は、ポリエチレン、ポリプロピレン、ポリ塩化ビニル、ポリテトラフルオロエチレン、フッ化エチレンプロピレンコポリマー、ポリ酢酸ビニル、ポリスチレン、ポリ（エチレンテレフタレート）、ポリエチレンナフタレート、ポリブチレンナフタレート、ポリトリメチレンナフタレート及びトリメチレンジオルナフタレートなどのナフタレンジカルボン酸誘導体、ポリウレタン、ポリウレア、シリコーンゴム、ポリアミド、ポリカーボネート、ポリアルデヒド、天然ゴム、ポリエステルコポリマー、スチレン・ブタジエンコポリマー、ポリエーテル、完全又は部分的ハロゲン化ポリエーテル、ポリアミド／ポリエーテルポリエステル、並びにそれらのコポリマー及び組み合わせからなる群から選択されるポリマー材料を含むことを特徴とする、請求項２２に記載のシステム。
【請求項２９】
前記第２の管状部材は、ポリエチレン、ポリプロピレン、ポリ塩化ビニル、ポリテトラフルオロエチレン、フッ化エチレンプロピレンコポリマー、ポリ酢酸ビニル、ポリスチレン、ポリ（エチレンテレフタレート）、ポリエチレンナフタレート、ポリブチレンナフタレート、ポリトリメチレンナフタレート、及びトリメチレンジオルナフタレートなどのナフタレンジカルボン酸誘導体、ポリウレタン、ポリウレア、シリコーンゴム、ポリアミド、ポリカーボネート、ポリアルデヒド、天然ゴム、ポリエステルコポリマー、スチレン・ブタジエンコポリマー、ポリエーテル、完全又は部分的ハロゲン化ポリエーテル、ポリアミド／ポリエーテルポリエステル、並びにそれらのコポリマー及び組み合わせからなる群から選択されるポリマー材料を含むことを特徴とする、請求項２２に記載のシステム。
【請求項３０】
前記バンドは、前記第１の管状部材の前記部分を実質的に周方向に取り囲むことを特徴とする請求項２２に記載のシステム。
【請求項３１】
前記バンドは、前記第１の管状部材の前記部分を部分的に周方向に取り囲むことを特徴とする請求項２２に記載のシステム。
【請求項３２】
前記少なくとも１つの突出部は、前記バンドから半径方向外方に延びることを特徴とする請求項２２に記載のシステム。
【請求項３３】
前記少なくとも１つの突出部は、前記バンドから長手方向外方に延びることを特徴とする請求項２２に記載のシステム。
【請求項３４】
前記カテーテルは高速交換型カテーテルであり、前記高速交換型カテーテルは、
前記第１の管状部材及び前記第２の管状部材を含むカテーテル・シャフトをさらに備え、該第１の管状部材は、該第１の管状部材の前記近位端の遠位方向に配置された近位方向のガイドワイヤ開口部から、該第１の管状部材の前記遠位端に配置された遠位方向のガイドワイヤ開口部まで延びるガイドワイヤ内腔を有し、かつ、前記カテーテル・シャフトの実質的に全長を延び、該第２の管状部材は、該第２の管状部材の前記近位端の遠位方向の該第２の管状部材内に配置されたガイドワイヤ開口部を有し、かつ、該カテーテル・シャフトの実質的に全長を延び、該第２の管状部材の前記ガイドワイヤ開口部は、該第１の管状部材の前記近位方向のガイドワイヤ開口部内に延びるガイドワイヤ・ランプを有することを特徴とする、請求項２２に記載のシステム。
【請求項３５】
前記ステントの前記端部は非外傷性の端部であることを特徴とする請求項２２に記載のシステム。
【請求項３６】
前記ステントは、ライナ、覆い、コーティング、移植片、及びそれらの組み合わせをさらに含むことを特徴とする請求項２０に記載の装置。
【請求項３７】
前記ステントは、ライナ、覆い、コーティング、移植片、及びそれらの組み合わせをさらに含むことを特徴とする請求項２２に記載のシステム。
【請求項３８】
近位端及び遠位端を有する第１の細長い管状部材と、
前記近位端において前記第１の管状部材の少なくとも部分の上に周方向に配置され、かつ、前記ステントの前記近位端の部分に解放可能に係合するための少なくとも１つの突出部を有するバンドと、
前記第１の管状部材、前記バンド及び前記ステントの上に摺動可能に配置された第２の細長い管状部材と、
を備えるカテーテル。
【請求項３９】
膨張可能なステントを腔内に送出するための高速交換型カテーテルであって、
近位端及び遠位端を有する第１の細長い管状部材と、
前記近位端において前記第１の管状部材の少なくとも部分の上に周方向に配置され、かつ、前記ステントの前記近位端の部分に解放可能に係合するための少なくとも１つの突出部を有するバンドと、
前記第１の管状部材、前記バンド及び前記ステントの上に摺動可能に配置された第２の細長い管状部材と、
を備えることを特徴とする高速交換型カテーテル。
【請求項４０】
膨張可能なステントを腔内に送出するための高速交換型カテーテルであって、
近位端及び遠位端を有する第１の細長い管状部材と、
前記近位端において前記第１の管状部材の少なくとも部分の上に周方向に配置され、かつ、前記ステントの前記近位端の部分に解放可能に係合するための少なくとも１つの突出部を有するバンドと、
前記第１の管状部材、前記バンド及び前記ステントの上に摺動可能に配置された第２の細長い管状部材と、
を備え、
前記高速交換型カテーテルは、前記第１の管状部材及び前記第２の管状部材を含むカテーテル・シャフトをさらに備え、該第１の管状部材は、該第１の管状部材の前記近位端から遠位方向に配置された近位方向のガイドワイヤ開口部から、該第１の管状部材の前記遠位端に配置された遠位方向のガイドワイヤ開口部まで延びるガイドワイヤ内腔を有し、かつ、前記カテーテル・シャフトの実質的に全長を延び、該第２の管状部材は、該第２の管状部材の前記近位端の遠位方向の該第２の管状部材内に配置されたガイドワイヤ開口部を有し、かつ、該カテーテル・シャフトの実質的に全長を延び、該第２の管状部材の該ガイドワイヤ開口部は、該第１の管状部材の前記近位方向のガイドワイヤ開口部内に延びるガイドワイヤ・ランプを有することを特徴とする高速交換型カテーテル。